(57)【要約】試験を行う無線機器が記述され、ここで、干渉信号は、該無線機器の受信チャネルの帯域幅に比例するように選択されたステップサイズで周波数上でスイープされる。例えば、無線機器の複数の受信チャネルの各周波数帯域幅（Bch）が決定される（６０１）。周波数ステップサイズに対して比例定数が選択される（６０３）。各受信チャネルに対して、干渉無線信号が生成され（６０５）、該干渉無線信号は、各受信チャネルの外側の周波数において段階的にスイープするように制御される。干渉周波数の該段階的なスイープは、各帯域幅と選択された比例定数との積である周波数ステップサイズで行われる。該各受信チャネルにおいてスプリアス応答が検出される。【選択図】図６Ａ
2015530793.tif 000002
【特許請求の範囲】
【請求項１】
無線機器（５００）の試験を行う方法であって、前記無線機器の受信チャネルの帯域幅に比例するように選択されたステップサイズで干渉信号を周波数上でスイープさせる工程を含む、方法。
【請求項２】
前記無線機器の複数の受信チャネルの各受信チャネルそれぞれの周波数帯域幅（Bch）を決定する工程（６０１）と、
周波数ステップサイズに対する比例定数を選択する工程（６０３）と、
前記各受信チャネルに対して、干渉無線信号を生成し（６０５）、前記各受信チャネルの外側の周波数において段階的にスイープするように前記干渉無線信号を制御する工程であって、ここで、干渉周波数の段階的なスイープは、各帯域幅と前記選択された比例定数との積である周波数ステップサイズで行われる、工程と、
−前記各受信チャネルにおいてスプリアス応答を検出する工程（６０７）と、
を含む請求項１に記載の方法。
【請求項３】
前記周波数ステップサイズに対する前記比例定数を選択する工程は、1／2以下の値を選択する工程を含む、請求項２に記載の方法。
【請求項４】
前記周波数ステップサイズに対する前記比例定数を選択する工程は、max｛S0,min（└0.5Bch┘,S1）｝の式で定義される間隔における値を選択する工程を含み、ここでS0は最小値であり、S1は最大値であり、└…┘は床関数である、請求項２または３に記載の方法。
【請求項５】
S0は1MHzであり、S1は5MHzである、請求項４に記載の方法。
【請求項６】
無線機器（５００）の試験を行う装置であって、前記無線機器の受信チャネルの帯域幅に比例するように選択されたステップサイズで干渉信号を周波数上でスイープさせるように構成された、無線周波数（RF）回路（５２２）、制御回路（５５４）、メモリ回路（５５６）を含む、装置。
【請求項７】
前記RF回路、制御回路、メモリ回路は、
前記無線機器の複数の受信チャネルの各受信チャネルそれぞれ周波数帯域幅（Bch）を決定し、
周波数ステップサイズに対する比例定数を選択し、
前記各受信チャネルに対して干渉無線信号を生成し、各受信チャネルの外側の周波数において段階的にスイープするように前記干渉無線信号を制御し、ここで、干渉周波数における段階的なスイープは、各帯域幅と前記選択された比例定数との積である周波数ステップサイズで実行され、
前記各受信チャネルにおいてスプリアス応答を検出する、
ように構成される、請求項６に記載の装置。
【請求項８】
周波数ステップサイズに対する比例定数を選択するように構成された前記RF回路、前記制御回路、前記メモリ回路の構成は、1/2以下である値を選択する構成を含む、請求項７に記載の装置。
【請求項９】
周波数ステップサイズに対する比例定数を選択するように構成された、前記RF回路、前記制御回路、前記メモリ回路の構成は、max｛S0,min（└0.5Bch┘,S1）｝の式で定義される間隔における値を選択するための構成を含み、ここでS0は最小値であり、S1は最大値であり、└…┘は床関数である、請求項７または８に記載の装置。
【請求項１０】
S0は1MHzであり、S1は5MHzである、請求項９に記載の方法。
【請求項１１】
プロセッサにより実行された場合に請求項１から５のいずれか１項に記載の方法を行うソフトウェア命令（５５８）を含むコンピュータプログラム。
【発明の詳細な説明】
【技術分野】
【０００１】
本開示の技術分野は、セルラー通信システムにおいて、受信機や送信機といった無線機器により満たされるべき無線要求の検証を制御する技術分野である。
【背景技術】
【０００２】
帯域外ブロッキング（Out-of-band blocking, OOBB）は、デバイスの受信帯より外の強力な干渉信号を低減する無線デバイスの能力の基準（measure）である。無線性能の必要条件と仕様書のほとんどにおいて、OOBBの要件は含まれている。
【０００３】
複信通信をサポートする無線受信機に対し、受信パスの選択性（隣接チャネル、帯域内ブロッキング、帯域外ブロッキング）が、自身の送信機を用いて高電力で検査される。受信側のパスは、
１．受信機の飽和（saturation）なしに、受信周波数帯より外の強力な外部干渉物を排除し、
２．該外部干渉と異なる周波数において別の強力な信号（自身の送信機）の存在における該外部の干渉を排除する、
ことができなければいけない。
【０００４】
第一に、受信機は飽和（ブロック）され、強力な干渉物の存在で性能の劣化を被る可能性がある。第二に、外部の干渉物と、例えば自身の送信機といった試験用の無線デバイス内部の他の信号との間の相互変調は、受信機チャネル内に収まる相互変調積を生成し得る。相互変調は、受信機（または送信機）において、非線形性により生じる。
【０００５】
図１と図２は、帯域外ブロッキング試験の２つの干渉のシナリオを示している。図１は、ある動作帯域（網掛けされてない領域）に割り当てされた受信チャネル（網掛け領域）からの、ある周波数分離（Fseparation）における外部の干渉物を示す。受信機は、受信チャネルに対する周波数分離が増加するにつれて、大きい干渉電力に耐えることができなければならなく、これは受信機の選択性の基準である。
【０００６】
図２は、外部の干渉物と自身の送信機が、受信機チャネル内に収まる相互変調積を生成するシナリオを示している。その後、スプリアス応答が生成される。当業者が理解できるように、スプリアス応答は、レスポンスが取得された他の周波数、すなわち、特定の帯域外ブロッキングの限度に対応しない他の周波数における、不必要な連続波（continuous wave, CW）の干渉信号の存在に起因した所与の劣化を上回ることなく、所望の信号を、割り当てられたチャネル周波数で受信するという受信機の能力の基準である。
【０００７】
この場合、外部の干渉物と自身の送信機の間の分離が、自身の送信機と受信機の間の（いわゆる二重複信干渉物である）周波数分離（FDuplex）と等しい場合に、これは起こる。スプリアス応答を生成する相互変調積は、外部の干渉物の電力レベルと自身の送信機の電力レベルに依存する。
【０００８】
帯域外ブロッキング（選択性）試験は、特定の電力、典型的には、試験される無線機器の最大出力電力に近い電力において、受信機の最小電力レベルに近い所与の所望な信号レベルで、自身の送信機で行われる。このことは、より大きい外部の干渉物の電力が、（ａ）スプリアス応答が生成されないときと、（ｂ）外部の干渉物と受信チャネルとの間の周波数分離が増加したときに、許容できることを意味する。図３は、スプリアス応答が生成されない場合を示し、このとき、所望の信号が相互変調積により劣化しないので、より高い外部の干渉物の電力を許容することができる。
【０００９】
スプリアス応答は、局部発信器の調波（harmonics）のような、他の内部信号との相互変調によっても生成されることが可能である。選択性試験の間、典型的にはkHzから10kHzのオーダーの広い範囲で、外部の干渉物はスイープ（sweep）されることが重要である。様々な内部の信号によって生成されたスプリアス応答がカバーされるべきである。実際には、干渉物は、周波数の領域をカバーするために周波数に入り込み、必要な試験時間は、原則的には、ステップサイズに反比例する。
【００１０】
スプリアス応答と広い周波数範囲を捕らえることによる試験時間は、使用される典型的なステップサイズを前提とすると、かなり長い。このことは、送信チャネルと受信チャネルの組み合わせに対して（順に行われるように）試験を行わなければなければならないときに、無線デバイスが（ユニバーサル地上波無線アクセス（UTRA）システムと進化型ユニバーサル地上波無線アクセス（E-UTRA）システムのエアインタフェースに対する）キャリアアグリゲーションのような特徴をサポートするならば、深刻なものとなる。例えば、E-UTRA（ロングタームエヴォリューション（LTE））の無線デバイスに対する試験を行っているときに、ステップサイズは、1MHzであり、帯域外ブロッキングテストは比較のために約８時間必要とする。
【発明の概要】
【００１１】
上記を考慮に入れて、選択性試験の目的を満たしながらも、周波数におけるステップサイズを縮小することができる条件を特定しつつ、試験時間（ゆえにコスト）を減らすことを目的とする。
【００１２】
第１の観点は、無線機器に対する試験を行う方法を提供することであり、ここで、干渉信号は該無線機器の受信チャネルの帯域幅に比例して選択されたステップサイズで周波数上でスイープされる。
【００１３】
より詳細には、前記第１の観点の方法は、いくつかの実施形態において、無線機器の複数の受信チャネルの各周波数帯域幅（Bch）を選択する工程を含む。比例定数は、周波数ステップサイズに対して選択される。各受信チャネルに対して、干渉無線信号が生成され、該干渉無線信号は、各受信信号の送信アンテナとの周波数において段階的にスイープするように制御される。干渉周波数の段階的なスイープは、各帯域幅と選択された比例定数との積である周波数ステップサイズで実施される。スプリアス応答は、各受信チャネルにおいて検出される。
【００１４】
第２の観点は、試験機器を提供することであり、該試験装置は、無線機器の受信チャネルの帯域幅に比例するように選択されたステップサイズで周波数において干渉信号をスイープさせるように構成された、無線周波数（RF）回路と、制御回路、記憶回路を含む無線機器に対して試験を行う装置の形式である。
【００１５】
より詳細には、第２の観点の装置は、いくつかの実施形態において、RF回路、制御回路、メモリ回路を含むことができ、これらは、
−無線機器の複数の受信チャネルのそれぞれの周波数帯域幅（Bch）を決定し
−周波数ステップサイズに対する比例定数を選択し、
−各受信チャネルに対して、干渉無線信号を生成し、各受信チャネルの外側で、周波数においてステップで段階的にスイープする該干渉無線信号を制御し、ここで、該干渉周波数の段階的なスイープは、各帯域幅と選択された比例定数との積である周波数ステップサイズで行われ、
−各受信チャネルにおいてスプリアス応答を検出する、
ように構成される。
【００１６】
第３の観点は、ソフトウェア命令を含むコンピュータプログラム製品を提供することであり、該コンピュータプログラム製品は、プロセッシングデバイスによって実行された場合に、第１の観点による方法を実行するように構成される。
【００１７】
これらの方法、構成、およびコンピュータプログラム製品は、先行技術の解決策に対して有利であり、試験時間が著しく削減され、あらゆるスプリアス応答を逃さずに受信機の選択性の周波数応答を測ることが可能となる。
【図面の簡単な説明】
【００１８】
【図１】周波数帯と信号電力の図。
【図２】周波数帯と信号電力の図。
【図３】周波数帯と信号電力の図。
【図４Ａ】周波数帯と信号電力の図。
【図４Ｂ】周波数帯と信号電力の図。
【図５】無線デバイスと試験機器の図。
【図６Ａ】選択性試験の方法のフローチャート。
【図６Ｂ】選択性試験の方法のフローチャート。
【発明を実施するための形態】
【００１９】
図４、５、６を参照すると、OOBBテストは、例示的な試験機器、方法、そのような方法を実行するソフトウェアに関して記述される。
【００２０】
例示的な方法によれば、図４Ａと図４Ｂに図示されるように、スプリアス応答を生成する相互変調積は、干渉物の周波数がスイープされることに従って、受信チャネルを動く。スプリアス応答は、図４Ａに示されるように、相互変調積が受信チャネル内に収まる外部の干渉の各周波数ステップに対して生成される。相互変調積は、外部の干渉物の周波数ステップごとに、受信機の最低次の非線形性に対して、１ステップ（Fstep）または２ステップ（2Fstep）で移動する。このステップサイズは、受信チャネルの帯域幅に比例して選択される。望ましくは、ステップサイズは、
●試験時間を最小限にするために、可能な限り長く、
●しかしながら、図４Ｂに示すように、スプリアス応答が受信チャネル帯域内に捕捉されず、受信機の選択性の周波数応答が適切に測定されないように、長すぎない、
ように選択されることが望ましい。
【００２１】
ステップサイズは、試験時間が試験の目的を満たしつつも試験時間が削減されるように、試験用の受信チャネルの帯域幅に比例するように選択される。
【００２２】
図５は、無線デバイス５００を、試験機器５５０によりOOBB試験を行うように構成された受信機の形式で示している。無線デバイス５００は、複信送信が可能である。デバイス５００は、１つ以上のチャネルの帯域幅をサポートする無線周波数（RF）受信機５０２を有する。
【００２３】
試験機器５５０は、外部の干渉物、すなわち、干渉無線信号を生成することが可能であり、ＲＦ回路５５２と連携して制御器５５４により制御される。ソフトウェア５５８は、メモリ５５６に属し、以下に述べるように試験を制御する。ソフトウェア５５８は、ディスクまたはフラッシュメモリ等のあらゆる適切なソフトウェアキャリア上で実現される非一時的コンピュータプログラム製品の手段で機器５５０へ提供されることが可能である。無線周波数接続５４４は、試験機器５５０から受信機へ生成された干渉物を運ぶために使用される。接続は、エアインタフェースの接続と同様、直流電流の接続、容量性の接続、誘電性の接続とすることができる。デバイス５００における処理部５０４は、無線周波数受信機５０２から試験機器５５０へ接続５４５を介して応答を報告するように構成される。
【００２４】
干渉物は、事前に選択されたステップサイズを用いて周波数においてスイープする。干渉物は受信チャネルに渡ってスイープしない（例えば、帯域外ブロッキング試験または帯域内ブロッキング試験、後者は実際の受信チャネルを排除する）。
【００２５】
ステップサイズは、周波数ステップにより、無線デバイス５００において内部信号に起因するスプリアス応答が必ず捕捉されるように、受信チャネルBchの帯域幅に比例するようにBch／２以下のステップで選択される（スプリアス応答は、２ステップで動くことができ、Fstep＜Bch／2である）。外部の干渉物は、該周波数ステップを用いてスイープし、選択性とスプリアス応答は記録される。ステップサイズは、多少大きく、Bch／2＜Fstep＜Bchと選択され得るが、試験の正確性が不利なものとなる。
【００２６】
図６Ａと図６Ｂは、そのような方法の例のフローチャートである。図６Ａは、試験方法の一般的な実現方法を示し、図６Ｂはより具体的な例である。図６Ａにおける方法は、決定ステップ６０１から開始し、ここで、無線機器の複数の受信チャネルの各周波数帯域幅（Bch）が決定される。選択ステップ６０３では、周波数ステップサイズに対して、比例定数が選択される。各受信チャネルに対し、干渉無線信号が生成ステップ６０５で生成される。生成ステップは、干渉無線信号が各受信信号の外側の周波数で段階的にスイープするように制御することを含み、ここで干渉周波数の段階的なスイープは、各帯域幅と選択された比例定数の積である周波数ステップサイズで実行される。
【００２７】
スプリアス応答は、検出ステップ６０７で、各周波数チャネルにおいて検出される。
【００２８】
このような試験方法のより詳細な例が図６Ｂに示される。図６Ｂの方法は、設定ステップ６０２から開始し、ここで、スイープすることに対する周波数ステップFstep、開始周波数F0、終了周波数F1が設定される。
【００２９】
干渉物、すなわち干渉信号の周波数Fは、その後、設定ステップ６０４において開始周波数F0に設定される。
【００３０】
周波数Fにおける干渉信号は、その後生成ステップ６０６において生成され、受信機５００に提供される。
【００３１】
干渉信号はデバイス５００のRF受信機５０２で受信され、スプリアス応答は接続５４５を介して処理部５０４により提供され、記録ステップ６０８において試験機器５５０に記録される。
【００３２】
スイープはその後、設定ステップ６１０において、干渉物の周波数FをFstepで増加させることにより続行する。
【００３３】
検査ステップ６１２において検査されたときに周波数FがF1より大きくない場合、新しい周波数Fにおける干渉信号が、図示されるように、生成ステップ６０６に戻ることにより、生成されて提供される。
【００３４】
結果は、選択性試験のための試験時間が、これらの実施形態を用いることにより著しく削減できたことを示す。例としてE-UTRA（LTE）を選ぶと、試験手続きにおいて現在使用されているステップサイズは1MHzであり、帯域外ブロッキング試験が完了するのに、約８時間必要である。サポートされる帯域幅は20MHzまでである。以下のように選択されるステップサイズは、試験時間が5倍削減される。
MHzにおいて
Fstep  ＝  max｛1,min（└0.5BWchannel┘,5）｝  （1〜5MHzの間）
（式１）
関数└x┘は床関数であり、ｘより大きくない最大の整数を返す。次の表は、（式１）を用いることにより得られた周波数ステップサイズを表している。
【表１】
2015530793.tif 000003
【００３５】
帯域幅は、20MHzまでとすることができる。ここでは、適切な周波数精度をもって周波数選択性を記録することができるように、5MHzの上限が選択される。使用するステップサイズに逆比例して、E-UTRAに対する許容されるスプリアス応答の数も削減される。
【００３６】
（試験される受信チャネル構成のいくつかの組み合わせを伴う）E-UTRAキャリアアグリゲーションに対しては、試験時間を削減し、それにより開発コストを削減するために、帯域外ブロッキング試験の試験時間を制限することが重要である。
【００３７】
上述したように、スプリアス応答を引き起こす影響の例として、相互変調が用いられた。しかしながら、スプリアス応答は、他の調波により生成可能でもあることを留意すべきである。
【図１】
2015530793.tif 000004
【図２】
2015530793.tif 000005
【図３】
2015530793.tif 000006
【図４Ａ】
2015530793.tif 000007
【図４Ｂ】
2015530793.tif 000008
【図５】
2015530793.tif 000009
【図６Ａ】
2015530793.tif 000010
【図６Ｂ】
2015530793.tif 000011
【国際調査報告】
2015530793.tif 000012
2015530793.tif 000013